(57)【要約】      （修正有）【課題】レンズ鏡筒の収納時に、引っ張り方向の外力が働いても、カム溝からボールフォロアが脱臼することを防止可能としたレンズ鏡筒及びこれを備えた光学機器を提供する。【解決手段】内側の筒体９の外側に、外側の筒体８を相対的に移動可能に組み付け、内側の筒体９と外側の筒体８との間に駆動カム溝とボールフォロアとによるカム機構を配置して、撮影状態と収納状態とに移行するときの相対的な動作をガイドするように構成したレンズ鏡筒において、一方の筒体に、係止用に形成した部分である脱臼防止ストッパ８Ｌを設け、一方の筒体が撮影状態から収納状態に移行する動作によって、脱臼防止ストッパ８Ｌが他方の筒体側に配置されたホルダストッパ１４ｂに離脱可能に係止され、内側の筒体と外側の筒体との間の相対的な動作を制止することにより、駆動カム溝とボールフォロアとの脱臼を防止する。【選択図】図１
2010066686.tif 000002
【特許請求の範囲】
【請求項１】
内側の筒体の外側に、外側の筒体を相対的に移動可能に組み付け、前記内側の筒体と前記外側の筒体との間に駆動カム溝とボールフォロアとによるカム機構を配置することにより、撮影状態と収納状態とに移行するときの相対的な動作をガイドするように構成したレンズ鏡筒において、
前記一方の筒体に、係止用に形成した部分である脱臼防止ストッパを設け、
前記一方の筒体が撮影状態から収納状態に移行する動作によって、前記脱臼防止ストッパが前記他方の筒体側に配置されたホルダストッパに離脱可能に係止され、前記内側の筒体と前記外側の筒体との間の相対的な動作を制止することにより、前記駆動カム溝と前記ボールフォロアとの脱臼を防止するように構成したことを特徴とするレンズ鏡筒。
【請求項２】
前記内側の筒体と前記外側の筒体とが撮影状態となっているときに、前記一方の筒体の光軸方向被写体側に隣接し、前記一方の筒体が光軸方向被写体側へ移動することを防止するよう構成された脱臼防止部材と、
前記内側の筒体と前記外側の筒体とが撮影状態となっているときに、前記一方の筒体の光軸方向結像面側に隣接し、前記一方の筒体が光軸方向結像面側へ移動することを防止する脱臼防止用の衝撃受け部と、を設けたことを特徴とする請求項１記載のレンズ鏡筒。
【請求項３】
請求項１又は請求項２記載のレンズ鏡筒を備えたことを特徴とする光学機器。
【発明の詳細な説明】
【技術分野】
【０００１】
本発明は、カメラ等の光学機器に搭載されるレンズ鏡筒及びこれを備えた光学機器に関する。
【背景技術】
【０００２】
従来、カメラ等の光学機器に用いられるレンズ鏡筒には、カム溝を設けたカム筒と、レンズとカムピンを備えたレンズホルダによって、レンズを光軸方向に移動させるものが提案されている（例えば、特許文献１参照）。
【０００３】
この従来のレンズ鏡筒では、カム筒が回転されてカム筒の内周側のカム溝に係合するカムピンがカム溝に沿って移動すると、これに連動して直進キーにガイドされたレンズホルダが光軸方向に移動する。
【０００４】
このような従来のレンズ鏡筒では、レンズ鏡筒に落下等の外力が加わるとカム溝とカムピンの係合が外れて脱臼することがある。このため、この従来のレンズ鏡筒では、撮影状態にあるときに押し込み方向の外力を受けるように設けた突起で、落下等の外力を受け、脱臼を防止している。
【０００５】
また、従来のレンズ鏡筒には、ボールねじ機構を利用してズーミングの動作を行うように構成したものが提案されている（例えば、特許文献２参照）。
【０００６】
このボールねじ機構を用いたレンズ鏡筒では、鏡筒の周囲にｎ相の電機子コイルを配置して固定子を構成する。この固定子としての鏡筒の内部には、外周面に複数対の永久磁石を配置すると共に、バリエータレンズを保持した回転子を配置する。この固定子としての鏡筒の内周部に設けたねじ溝と、回転子の外周部に設けたねじ溝との間には、ボールを挿入して循環させるボールねじ機構を設ける。このように構成したレンズ鏡筒では、回転子の回転運動をボールねじ機構により摩擦損失を少なくし効率良く光軸方向の運動に変換して、ズーミングの動作を行う。
【特許文献１】特開２００１−３２４６６３号公報
【特許文献２】特開平０５−３３３２５５号公報
【発明の開示】
【発明が解決しようとする課題】
【０００７】
しかしながら、撮影状態にあるときに押し込み方向の外力を受ける突起を設けたレンズ鏡筒は、レンズ鏡筒の収納時にレンズ鏡筒に加わる引っ張り方向の外力を受ける手段がない。このため、この従来のレンズ鏡筒の構成では、レンズ鏡筒の収納時にレンズ鏡筒に引っ張り方向の外力を受けたときにカムフォロアがカム溝から脱臼してしまう虞がある。
【０００８】
特に、ねじ溝にボールフォロアを挿入することにより光軸方向の運動に変換するよう構成したボールねじ機構を利用するレンズ鏡筒では、レンズ鏡筒の収納時にレンズ鏡筒に引っ張り方向の外力が加わると、容易に脱臼していた。
【０００９】
本発明の目的は、レンズ鏡筒の収納時に、引っ張り方向の外力が働いても、カム溝からボールフォロアが脱臼することを防止可能としたレンズ鏡筒及びこれを備えた光学機器を提供することにある。
【課題を解決するための手段】
【００１０】
上記目的を達成するために、請求項１記載のレンズ鏡筒は、内側の筒体の外側に、外側の筒体を相対的に移動可能に組み付け、前記内側の筒体と前記外側の筒体との間に駆動カム溝とボールフォロアとによるカム機構を配置することにより、撮影状態と収納状態とに移行するときの相対的な動作をガイドするように構成したレンズ鏡筒において、前記一方の筒体に、係止用に形成した部分である脱臼防止ストッパを設け、前記一方の筒体が撮影状態から収納状態に移行する動作によって、前記脱臼防止ストッパが前記他方の筒体側に配置されたホルダストッパに離脱可能に係止され、前記内側の筒体と前記外側の筒体との間の相対的な動作を制止することにより、前記駆動カム溝と前記ボールフォロアとの脱臼を防止するように構成したことを特徴とする。
【発明の効果】
【００１１】
本発明によれば、レンズ鏡筒が収納時の状態で、レンズ鏡筒に引っ張り方向の外力が加わったときに、ボールフォロアがカム溝から脱臼してしまうことを防止することが可能となる。
【発明を実施するための最良の形態】
【００１２】
以下、本発明の実施の形態に係わるレンズ鏡筒について、図１乃至図１９を参照して説明する。
【００１３】
図１は、本発明の実施の形態に係わるレンズ鏡筒における、沈胴状態でのカム筒８、ＣＣＤホルダ１４、カム筒脱臼防止ストッパ８Ｌ及びＣＣＤホルダストッパ１４ｂの要部を取り出して示す拡大断面斜視図である。
【００１４】
図２は、本発明の実施の形態に係わるレンズ鏡筒を搭載した光学機器としてのカメラの外観斜視図である。
【００１５】
図３は、本発明の実施の形態に係わるレンズ鏡筒を搭載したカメラの正面図である。
【００１６】
図４は、本発明の実施の形態に係わるレンズ鏡筒部分を取り出して示すレンズ鏡筒の斜視図である。
【００１７】
図５は、沈胴状態のレンズ鏡筒の内部構造を示す図３のＡ−Ａ線による縦断面図である。
【００１８】
図６は、沈胴状態のレンズ鏡筒の内部構造を示す図３のＢ−Ｂ線による横断面図である。
【００１９】
図７は、沈胴状態のレンズ鏡筒の内部構造を示す図３のＣ−Ｃ線による断面図である。
【００２０】
図８は、ワイド撮影状態のレンズ鏡筒の内部構造を示す図３のＡ−Ａ線による縦断面図である。
【００２１】
図９は、ワイド撮影状態のレンズ鏡筒の内部構造を示す図３のＢ−Ｂ線による縦断面図である。
【００２２】
図１０は、ワイド撮影状態のレンズ鏡筒の内部構造を示す図３のＣ−Ｃ線による縦断面図である。
【００２３】
図１１は、テレ撮影状態のレンズ鏡筒の内部構造を示す図３のＡ−Ａ線による縦断面図である。
【００２４】
図１２は、テレ撮影状態のレンズ鏡筒の内部構造を示す図３のＢ−Ｂ線による縦断面図である。
【００２５】
図１３は、テレ撮影状態のレンズ鏡筒の内部構造を示す図３のＣ−Ｃ線による縦断面図である。
【００２６】
図１４は、沈胴状態のレンズ鏡筒の内部構造を示す図３のＤ−Ｄ線による縦断面図である。
【００２７】
図１５は、ワイド撮影状態のレンズ鏡筒の内部構造を示す図３のＤ−Ｄ線による縦断面図である。
【００２８】
図１６は、本発明の実施の形態に係わるレンズ鏡筒における、ＣＣＤホルダ衝撃受け部１４ａが設けられたＣＣＤホルダ１４を取り出して示す斜視図である。
【００２９】
図１７は、本発明の実施の形態に係わるレンズ鏡筒におけるカム筒８に設けられたボール確認窓８ｋを取り出して示す斜視図である。
【００３０】
図１８は、本発明の実施の形態に係わるレンズ鏡筒における固定筒９に設けられた固定筒ボールフォロア９ｂと固定筒ボールバネ９ｄ部分を取り出して示す斜視図である。
【００３１】
図１９は、本発明の実施の形態に係わるレンズ鏡筒における、ワイド撮影状態でのカム筒脱臼防止ストッパ８Ｌ及びＣＣＤホルダストッパ１４ｂの要部を取り出して示す要部拡大斜視図である。
【００３２】
鏡筒２は、図５に示すように、１群レンズＬ１、２群レンズＬ２、３群レンズＬ３及び４群レンズＬ４を備えており、４群レンズＬ４を光軸方向に移動させて焦点調節を行うよう構成されている。
【００３３】
図５、図８、図１１、図１７に示すところから理解されるように、１群レンズＬ１は、１群レンズホルダ３に保持される。この１群レンズホルダ３には、周方向に互いに離間した３箇所に、それぞれ回転動作を直進動作に変換するためのカム溝にボールを係合させて構成するカム機構を配置する。
【００３４】
このカム機構を構成するため、１群レンズホルダ３には、１群ボールフォロア３ａ、１群ボールバネ３ｂ、１群衝撃ピン３ｃ、１群直進溝３ｄを配置する。この１群ボールバネ３ｂは、１群ボールフォロア３ａを１群カム溝８ｂに当接させるように付勢する。
【００３５】
２群レンズＬ２は、２群カムピン４ａと光軸方向に伸びる１対の２群バー４ｂを有する２群レンズホルダ４により保持される。３群レンズＬ３は、３群カムピン５ａと３群スリーブ５ｂ、３群振れ止め５ｃを有する３群レンズホルダ５により保持される。４群レンズＬ４は、４群レンズホルダ６により保持される。
【００３６】
図７に示すように、鏡筒２は、シャッターユニット７を備える。シャッターユニット７は、ＳＨカムピン７ａとＳＨスリーブ７ｂ、ＳＨ振れ止め７ｃを有する。また、この鏡筒２では、その内部に配置した一方の２群バー４ｂに、３群スリーブ５ｂとＳＨスリーブ７ｂとが光軸方向に移動可能に嵌合されている。さらに、この鏡筒２では、その内部に配置した他方の２群バー４ｂに、３群振れ止め５ｃとＳＨ振れ止め７ｃとが光軸方向に移動可能に嵌合されている。
【００３７】
図５及び図７に示すように、この鏡筒２は、１群レンズホルダ３の内周と、２群レンズホルダ４の外周側との間に、カム筒８（外側の筒体）と直進案内筒として機能する固定筒９（内側の筒体）とを配置して構成する。
【００３８】
このカム筒８は、鏡筒２内部で光軸中心に対して回転可能に装着されている。このカム筒８は、外周部にギア部８ａと１群カム溝８ｂ、１群衝撃受け溝８ｈ、が設けられている。また、カム筒８の内周部には、２群カム溝８ｃ、３群カム溝８ｄ、ＳＨカム溝８ｅ、カム筒駆動カム溝８ｇ（図１４に図示）、ローラーガイド８ｉ、が設けられている。
【００３９】
図１２に示すように、カム筒８のＣＣＤホルダ１４側端面には、カム筒衝撃受け部８ｊを設ける。
【００４０】
図１７に示すようにカム筒駆動カム溝８ｇの溝部底面の所定位置には、固定筒ボールフォロア窓８ｋが形成される。
【００４１】
図６に示すように、カム筒８の外周には、カム筒脱臼防止ストッパ８Ｌを形成する。
【００４２】
図５に示すように、１群カム溝８ｂには、１群ボールバネ３ｂの付勢力によって１群ボールフォロア３ａが当接している。
【００４３】
１群衝撃受け溝８ｈには、通常の駆動状態では１群衝撃ピン３ｃが適切な隙間を保ちながら配置されている。
【００４４】
直進案内筒である固定筒９の外周壁には、光軸方向に延びる貫通長穴状の２群直進溝９ａ（図７に図示）が、周方向に互いに離間した３箇所に配置されている。また図７及び図１８に示すように、２群直進溝９ａと同位相の固定筒９上端面には、１群直進キー９ｃが形成されている。２群直進溝９ａには、２群カムピン４ａが光軸方向に移動可能に嵌合している。１群直進キー９ｃには、１群直進溝３ｄが光軸方向に移動可能に勘合している。
【００４５】
また図１４乃至図１８から理解されるように、固定筒９の外周部には、固定筒ボールフォロア９ｂが、周方向に互いに離間した３箇所に、それぞれ自転可能に取り付けられている。固定筒ボールフォロア９ｂの内の少なくとも一つは、固定筒ボールバネ部９ｄによってカム筒８のカム筒駆動カム溝８ｇに押し付けられるように付勢されている。また、残る２つの固定筒ボールフォロア９ｂは、一つの固定筒ボールフォロア９ｂを付勢する固定筒ボールバネ部９ｄの反力により、カム筒駆動カム溝８ｇに弾性的に押し付けられる。
【００４６】
図７に示すように、固定筒９（内側の筒体）の外周上には、ローラー９ｉを介して、カム筒８（外側の筒体）が相対的に回転可能に支受されている。このローラー９ｉは、ポリアセタール等の弾性材料で作られたローラーである。ローラー９ｉは、軸太のドラム部９ｉｂ両端部に一対の軸部９ｉａを配置して構成する。このローラー９ｉは、両端の軸部９ｉａを、固定筒９の軸受に回転自由に軸支され、ドラム部９ｉｂがローラカム筒８のローラーガイド８ｉに転接してカム筒８が固定筒９の外周上を相対的に回転可能となるように支受する。
【００４７】
また図４、図５に示すように、この鏡筒２は、駆動ギア１０、ズーム駆動装置１１、メイン基板１２、鏡筒フレキ１３、ＣＣＤホルダ１４、ボイスコイル１５を用いた４群駆動装置を備える。
【００４８】
このＣＣＤホルダ１４には、脱臼防止用のＣＣＤホルダ衝撃受け部１４ａ（図１２、図１６に図示）が設けられている。この脱臼防止用のＣＣＤホルダ１４には、固定筒９の筒体側の部材として固定筒９と一体となるようにＣＣＤホルダストッパ１４ｂ（図６に図示）が設けられている。また、このＣＣＤホルダ１４は、デジタルカメラ１の本体側に固定されて、固定筒９、駆動ギア１０、ズーム駆動装置１１、４群駆動装置１５を保持するよう構成されている。
【００４９】
また、このデジタルカメラ（電子カメラ）であるカメラ１では、カメラ本体にメイン基板１２を内蔵する。このメイン基板１２は、不図示の配線を介してＣＣＤプレート２５上のＣＣＤ２６に接続されている。このデジタルカメラ１では、鏡筒２によってＣＣＤ２６上に結像される被写体像を撮影するように構成されている。
【００５０】
次に、上述のように構成した沈胴式鏡筒２の動作について説明する。
【００５１】
このカメラ１では、鏡筒２を光軸方向に移動動作させる場合には、図示しない制御部によって、メイン基板１２から鏡筒フレキ１３を介してズーム駆動装置１１に通電して駆動制御する。すると、ズーム駆動装置１１の回転駆動力は、ギア部８ａに噛合する駆動ギア１０を介してカム筒８に伝達され、カム筒８が固定筒９周りに相対的に回転する。
【００５２】
すると、この鏡筒２では、カム筒８の回転に伴い、カム筒８の内周側の１群カム溝８ｂに係合する１群ボールフォロア３ａが、１群カム溝８ｂ（螺旋状のカム溝）に沿って移動する。このとき、１群ボールフォロア３ａが設けられた１群レンズホルダ３は、１群直進溝３ｄに嵌合する１群直進キー９ｃにガイドされるので、１群レンズホルダ３とこれに付随するものが光軸方向に移動する。
【００５３】
同様に、この鏡筒２では、カム筒８が回転すると、カム筒８の内周側の２群カム溝８ｃに係合する２群カムピン４ａが、２群カム溝８ｃのカム溝に沿って移動する。すると、これに連動して２群レンズホルダ４とこれに付随するものが、２群直進溝９ａにガイドされて光軸方向に移動する。
【００５４】
同じく、カム筒８が回転すると、カム筒８の内周側の３群カム溝８ｄに係合する３群カムピン５ａは、３群カム溝８ｄのカム溝に沿って移動する。すると、これに連動して３群レンズホルダ５とこれに付随するものが、２群バー４ｂにガイドされて光軸方向に移動する。
【００５５】
また、カム筒８が回転すると、カム筒８の内周側のＳＨカム溝８ｅに係合するＳＨカムピン７ａは、ＳＨカム溝８ｅのカム溝に沿って移動する。すると、これに連動してシャッターユニット７が、２群バー４ｂにガイドされて光軸方向に移動する。
【００５６】
さらに、固定筒９の外周の固定筒ボールフォロア９ｂにカム筒駆動カム溝８ｇが係合するカム筒８は、ローラーガイド８ｉをドラム部９ｉｂにガイドされながら回転する。すると、カム筒８、１群レンズホルダ３、２群レンズホルダ４、３群レンズホルダ５、４群レンズホルダ６及びシャッターユニット７は、カム筒駆動カム溝８ｇのカム溝に沿って図１４、図１５に示すように光軸方向に移動する。
【００５７】
また、この鏡筒２では、４群駆動装置１５によって４群レンズＬ４を光軸方向に進退移動することにより合焦動作を行う。
【００５８】
この鏡筒２は、図５乃至図７、図１４に示す沈胴状態から、図８乃至図１０、図１５に示すワイド撮影状態に移動する。このときこの鏡筒２では、１群レンズホルダ３と２群レンズホルダ４、３群レンズホルダ５、４群レンズホルダ６、シャッターユニット７、カム筒８が、それぞれ光軸方向に移動する。
【００５９】
さらにこの鏡筒２では、カム筒８が回転することで、図１１から図１３に示すテレ撮影状態に移動する。
【００６０】
次に、上述のように構成した鏡筒２における、カム筒の脱臼を防止するための手段について、図１、図１６、図１７、図１８及び図１９を参照して説明する。
【００６１】
このカム筒の脱臼を防止するための手段は、ＣＣＤホルダストッパ１４ｂ、カム筒脱臼防止ストッパ８Ｌ、カム筒衝撃受け部８ｊ、１群直進キー９ｃ及びＣＣＤホルダ衝撃受け部１４ａを有する。
【００６２】
図１に示されるように鏡筒２の沈胴状態（収納状態）で、カム筒脱臼防止ストッパ８Ｌは、光軸方向被写体側にオーバーラップするＣＣＤホルダストッパ１４ｂによって光軸方向被写体側への移動が規制される。これにより鏡筒２では、引っ張り方向の外力を受けたときに固定筒ボールバネ部９ｄの付勢力が負けて固定筒ボールフォロア９ｂがカム筒駆動カム溝８ｇから脱臼してしまうことを防止することが可能となる。
【００６３】
また、この鏡筒２では、カム筒８の光軸方向結像面側にＣＣＤホルダ１４が隣接して配置されている。このＣＣＤホルダ１４は、固定筒９側に一体的に配置され、ＣＣＤホルダ１４と固定筒９との位置が不動な状態に取り付けられる。
【００６４】
この鏡筒２では、沈胴時に鏡筒２に押し込み方向の外力が働いたときに、ＣＣＤホルダ１４がカム筒８の光軸方向結像面側への移動を規制する。これによって、図１４に図示する固定筒ボールフォロア９ｂとカム筒駆動カム溝８ｇとは、その係合が解除されることを制止される。
【００６５】
すなわち、この鏡筒２に設けるカム筒の脱臼を防止するための手段では、カム筒８の基端部（ＣＣＤホルダ１４に隣接する側の端部）に、カム筒脱臼防止ストッパ８Ｌを形成する。
【００６６】
このカム筒８には、基端部に外径を一段大きくした大径の縁部８０を形成する。さらに、カム筒８の大径の縁部８０の外周面上には、円弧状の所定範囲に渡って外歯歯車であるギア部８ａを形成する。
【００６７】
このカム筒８には、係止用に凸状に形成した部分であるカム筒脱臼防止ストッパ８Ｌをギア部８ａの端部に連続するように配置して形成する。このカム筒脱臼防止ストッパ８Ｌは、大径の縁部８０の外周面からギア部８ａの歯の高さ分だけ突出し、ギア部８ａの歯幅の２倍程度の幅を持つ小矩形台状に形成する。
【００６８】
また、この鏡筒２に設けるカム筒の脱臼を防止するための手段では、ＣＣＤホルダ１４に、係止用に凸状に形成した部分であるカム筒脱臼防止ストッパ８Ｌを着脱可能に係止するためのＣＣＤホルダストッパ１４ｂを形成する。
【００６９】
このＣＣＤホルダストッパ１４ｂは、ＣＣＤホルダ１４におけるギア部８ａに隣接する位置で、かつ沈胴状態（収納状態）にあるカム筒８のカム筒脱臼防止ストッパ８Ｌが置かれる位置に対応して配置される。このＣＣＤホルダストッパ１４ｂは、円弧状に形成され、その自由端部にカム筒脱臼防止ストッパ８Ｌの制止端面（ＣＣＤホルダ１４と反対側で、被写体に向く端面）に臨むよう、断面逆Ｌ字状に折曲して鉤状に延出する制止頭部を備える。
【００７０】
次に、この鏡筒２に設けるカム筒の脱臼を防止するための手段の動作について説明する。この鏡筒２では、カム筒８の回転位相が、沈胴状態とワイド撮影状態との間で遷移する際にカム筒８の脱臼を防止するための手段の着脱動作が行われる。
【００７１】
このカム筒８が沈胴状態から遷移状態まで回転すると、カム筒脱臼防止ストッパ８Ｌは、ＣＣＤホルダストッパ１４ｂによる光軸方向被写体側へオーバーラップしなくなるので、カム筒８が光軸方向被写体側へ移動可能となる。この遷移状態でカム筒８は、光軸方向に移動されることにより、図８〜図１０、図１５に示すワイド撮影状態の位置に移行する。
【００７２】
すなわち、この鏡筒２では、カム筒８が撮影状態から沈胴状態に移行されるときにＣＣＤホルダ１４上でカム筒８が所定角度だけ回転する動作に従って、カム筒脱臼防止ストッパ８ＬがＣＣＤホルダストッパ１４ｂに係止される。この沈胴状態（収納状態）において、ＣＣＤホルダストッパ１４ｂは、ＣＣＤホルダ１４の上面とＣＣＤホルダストッパ１４ｂの制止頭部との間にカム筒脱臼防止ストッパ８Ｌを挟む状態で離脱可能に係止する。これによって、カム筒脱臼防止ストッパ８Ｌと一体のカム筒８は、ＣＣＤホルダ１４によって光軸方向に移動不能に支持される。この鏡筒２では、沈胴状態で１群レンズホルダ３に押し込み方向の外力を受けた場合に１群衝撃ピン３ｃが１群衝撃受け溝８ｈに当接し、１群レンズホルダ３の押し込み方向の外力がカム筒８に伝達され、カム筒８を光軸方向結像面側に移動させる。
【００７３】
しかしカム筒８の移動量が、固定筒ボールフォロア９ｂがカム筒駆動カム溝８ｇから脱臼する状態に達する前に、カム筒脱臼防止ストッパ８ＬがＣＣＤホルダストッパ１４ｂの制止頭部に当接し、固定筒ボールフォロア９ｂがカム筒駆動カム溝８ｇから脱臼してしまうことを防止できる。
【００７４】
また、カム筒８が沈胴状態から、カム筒８の回転位相における沈胴状態とワイド撮影状態との間の遷移状態に移行されるときに、カム筒８は、ＣＣＤホルダ１４上で所定角度だけ回転する。すると、カム筒８の回転に伴ってカム筒脱臼防止ストッパ８Ｌが回動してＣＣＤホルダストッパ１４ｂから離脱する。これによって、カム筒脱臼防止ストッパ８Ｌと一体のカム筒８は、ＣＣＤホルダ１４に対して光軸方向に移動可能となる。
【００７５】
次に、この鏡筒２のカム筒８の回転位相がワイド撮影状態又はテレ撮影状態にあるときに、外力が加わって固定筒ボールフォロア９ｂがカム筒駆動カム溝８ｇから脱臼してしまうことを防止するための手段について説明する。
【００７６】
図１０図１７及び図１８から理解されるように、この鏡筒２では、ワイド撮影状態にある場合に、１群直進キー９ｃが、カム筒８の被写体側の端部に隣接して位置するように構成されている。すなわち、固定筒９の外周からラジアル方向に１群直進キー９ｃが突出し、固定筒９の外周上に相対的に移動可能に装着されたカム筒８の光軸方向被写体側端部に当接して移動を制止可能に構成する。
【００７７】
鏡筒２は、撮影状態で１群レンズホルダ３に引っ張り方向の外力を受けた場合に１群衝撃ピン３ｃが１群衝撃受け溝８ｈに当接し、１群レンズホルダ３の引っ張り方向の外力がカム筒８に伝達され、カム筒８を光軸方向被写体側に移動させる。
【００７８】
しかしカム筒８の移動量が、固定筒ボールフォロア９ｂがカム筒駆動カム溝８ｇから脱臼する状態に達する前に、脱臼防止部材である１群直進キー９ｃがカム筒８の端部に当って光軸方向被写体側への移動を規制する。これによって、鏡筒２では、図１４に図示する固定筒ボールフォロア９ｂが、カム筒駆動カム溝８ｇから脱臼してしまうことを防止できる。
【００７９】
また、図１２及び図１６に示すように、この鏡筒２では、テレ撮影状態にあるときに、ＣＣＤホルダ衝撃受け部１４ａが、カム筒衝撃受け部８ｊの結像面側に隣接して位置するように構成されている。鏡筒２は、撮影状態で１群レンズホルダ３に押し込み方向の外力を受けた場合に１群衝撃ピン３ｃが１群衝撃受け溝８ｈに当接し、１群レンズホルダ３の押し込み方向の外力がカム筒８に伝達され、カム筒８を光軸方向結像面側に移動させる。
【００８０】
しかしカム筒８の移動量が、固定筒ボールフォロア９ｂがカム筒駆動カム溝８ｇから脱臼する状態に達する前に、ＣＣＤホルダ衝撃受け部１４ａがカム筒衝撃受け部８ｊに当たってカム筒８の光軸方向結像面側への移動を規制する。これにより、鏡筒２では、図１４に図示する固定筒ボールフォロア９ｂが、カム筒駆動カム溝８ｇから脱臼してしまうことを防止できる。
【図面の簡単な説明】
【００８１】
【図１】本発明の実施の形態に係わるレンズ鏡筒における、沈胴状態でのカム筒、ＣＣＤホルダ、カム筒脱臼防止ストッパ及びＣＣＤホルダストッパの要部を取り出して示す拡大断面斜視図である。
【図２】本発明の実施の形態に係わるレンズ鏡筒を搭載した光学機器としてのカメラの外観斜視図である。
【図３】本発明の実施の形態に係わるレンズ鏡筒を搭載したカメラの正面図である。
【図４】本発明の実施の形態に係わるレンズ鏡筒部分を取り出して示すレンズ鏡筒の斜視図である。
【図５】沈胴状態のレンズ鏡筒の内部構造を示す図３のＡ−Ａ線による縦断面図である。
【図６】沈胴状態のレンズ鏡筒の内部構造を示す図３のＢ−Ｂ線による横断面図である。
【図７】沈胴状態のレンズ鏡筒の内部構造を示す図３のＣ−Ｃ線による断面図である。
【図８】ワイド撮影状態のレンズ鏡筒の内部構造を示す図３のＡ−Ａ線による縦断面図である。
【図９】ワイド撮影状態のレンズ鏡筒の内部構造を示す図３のＢ−Ｂ線による縦断面図である。
【図１０】ワイド撮影状態のレンズ鏡筒の内部構造を示す図３のＣ−Ｃ線による縦断面図である。
【図１１】テレ撮影状態のレンズ鏡筒の内部構造を示す図３のＡ−Ａ線による縦断面図である。
【図１２】テレ撮影状態のレンズ鏡筒の内部構造を示す図３のＢ−Ｂ線による縦断面図である。
【図１３】テレ撮影状態のレンズ鏡筒の内部構造を示す図３のＣ−Ｃ線による縦断面図である。
【図１４】沈胴状態のレンズ鏡筒の内部構造を示す図３のＤ−Ｄ線による縦断面図である。
【図１５】ワイド撮影状態のレンズ鏡筒の内部構造を示す図３のＤ−Ｄ線による縦断面図である。
【図１６】本発明の実施の形態に係わるレンズ鏡筒における、ＣＣＤホルダ衝撃受け部が設けられたＣＣＤホルダを取り出して示す斜視図である。
【図１７】本発明の実施の形態に係わるレンズ鏡筒におけるカム筒８に設けられたボール確認窓８ｋを取り出して示す斜視図である。
【図１８】本発明の実施の形態に係わるレンズ鏡筒における固定筒９に設けられた固定筒ボールフォロア９ｂと固定筒ボールバネ９ｄ部分を取り出して示す斜視図である。
【図１９】本発明の実施の形態に係わるレンズ鏡筒における、ワイド撮影状態でのカム筒脱臼防止ストッパ及びＣＣＤホルダストッパの要部を取り出して示す要部拡大斜視図である。
【符号の説明】
【００８２】
Ｌ１  １群レンズ
Ｌ２  ２群レンズ
Ｌ３  ３群レンズ
Ｌ４  ４群レンズ
１  カメラ
２  鏡筒
８  カム筒
８ｇ  カム筒駆動カム溝
８ｊ  カム筒衝撃受け部
８Ｌ  カム筒脱臼防止ストッパ
９  固定筒
９ｂ  固定筒ボールフォロア
１４ａ  ＣＣＤホルダ衝撃受け部
１４ｂ  ＣＣＤホルダストッパ
【図１】
2010066686.tif 000003
【図２】
2010066686.tif 000004
【図３】
2010066686.tif 000005
【図４】
2010066686.tif 000006
【図５】
2010066686.tif 000007
【図６】
2010066686.tif 000008
【図７】
2010066686.tif 000009
【図８】
2010066686.tif 000010
【図９】
2010066686.tif 000011
【図１０】
2010066686.tif 000012
【図１１】
2010066686.tif 000013
【図１２】
2010066686.tif 000014
【図１３】
2010066686.tif 000015
【図１４】
2010066686.tif 000016
【図１５】
2010066686.tif 000017
【図１６】
2010066686.tif 000018
【図１７】
2010066686.tif 000019
【図１８】
2010066686.tif 000020
【図１９】
2010066686.tif 000021